【手続補正書】
【提出日】令和2年7月14日(2020.7.14)
【手続補正１】
【補正対象書類名】特許請求の範囲
【補正対象項目名】全文
【補正方法】変更
【補正の内容】
【特許請求の範囲】
【請求項１】
少なくとも２つの層を備えるパッケージ用板紙の製造方法であって、
前記少なくとも２つの層の一方の層に複数のアンテナパターンを、所定間隔を有して印刷する工程と、
前記少なくとも２つの層の他方の層に複数のＲＦＩＣ素子を、所定間隔を有して接着する工程と、
前記一方の層と前記他方の層とを貼り合わせて、前記ＲＦＩＣ素子および前記アンテナパターンを前記一方の層と前記他方の層との間に挟み込み、前記ＲＦＩＣ素子と前記アンテナパターンとを電気的に接続する工程と、を含み、
前記アンテナパターンは、前記ＲＦＩＣ素子が電気的に接続される第１ランド部および第２ランド部と、前記第１ランド部と前記第２ランド部とのそれぞれから延びる部分であって電波を送受信するアンテナ部と、を有し、
前記第１ランド部および前記第２ランド部は、互いに対向して配置されるとともに、互いに平行な長手方向を有する形状であって前記長手方向の長さが前記ＲＦＩＣ素子よりも大きな形状を有し、
前記第１ランド部にて前記アンテナ部が延びる端部は、前記第２ランド部にて前記アンテナ部が延びる端部とは前記長手方向において反対側に位置している、パッケージ用板紙の製造方法。
【請求項２】
前記アンテナパターンを印刷する工程において、前記一方の層を構成する第１シートが巻回された第１供給リールから連続的に送り出されて、前記第１シートに前記アンテナパターンを所定間隔を有して連続的に印刷するステップを含み、
前記ＲＦＩＣ素子を接着する工程において、前記他方の層を構成する第２シートが巻回された第２供給リールから連続的に送り出されて、前記第２シートに接着剤が塗布され複数の前記ＲＦＩＣ素子が所定間隔を有して連続的に接着されるステップを含み、
前記ＲＦＩＣ素子と前記アンテナパターンとを電気的に接続する工程において、前記アンテナパターンが印刷された前記第１シートと、前記ＲＦＩＣ素子が接着された前記第２シートが連続的に供給されて、前記第１シートと前記第２シートが貼着され前記ＲＦＩＣ素子と前記アンテナパターンが電気的に接続されるステップを含む、
請求項１に記載のパッケージ用板紙の製造方法。
【請求項３】
前記第１ランド部および前記第２ランド部における前記長手方向は、前記第１シートと前記第２シートとが貼り合わされるときの搬送方向と平行である、請求項２に記載のパッケージ用板紙の製造方法。
【請求項４】
少なくとも２つの層を備えるパッケージ用板紙であって、
前記少なくとも２つの層の一方の層が印刷されたアンテナパターンを含み、
前記少なくとも２つの層の他方の層が接着されたＲＦＩＣ素子を含み、
前記一方の層と前記他方の層とが貼り合わされた積層体において、前記一方の層と前記他方の層との間に前記ＲＦＩＣ素子および前記アンテナパターンが挟み込まれて、前記ＲＦＩＣ素子と前記アンテナパターンが電気的に接続したＲＦＩＣデバイスが構成され、
前記アンテナパターンは、前記ＲＦＩＣ素子が電気的に接続される第１ランド部および第２ランド部と、前記第１ランド部と前記第２ランド部とのそれぞれから延びる部分であって電波を送受信するアンテナ部と、を有し、
前記第１ランド部および前記第２ランド部は、互いに対向して配置されるとともに、互いに平行な長手方向を有する形状であって前記長手方向の長さが前記ＲＦＩＣ素子よりも大きな形状を有し、
前記第１ランド部にて前記アンテナ部が延びる端部は、前記第２ランド部にて前記アンテナ部が延びる端部とは前記長手方向において反対側に位置している、パッケージ用板紙。
【請求項５】
複数の折り曲げ部を有して組み立てられて、物品を収容するパッケージであって、
前記パッケージは、少なくとも２つの層を備えるパッケージ用板紙で構成され、
前記少なくとも２つの層の一方の層が印刷されたアンテナパターンを含み、
前記少なくとも２つの層の他方の層が接着されたＲＦＩＣ素子を含み、
前記一方の層と前記他方の層とが貼り合わされた積層体を有し、
前記積層体が、前記一方の層と前記他方の層との間に前記ＲＦＩＣ素子および前記アンテナパターンが挟み込まれて、前記ＲＦＩＣ素子と前記アンテナパターンが電気的に接続されたＲＦＩＣデバイスを備え、
前記アンテナパターンは、前記ＲＦＩＣ素子が電気的に接続される第１ランド部および第２ランド部と、前記第１ランド部と前記第２ランド部とのそれぞれから延びる部分であって電波を送受信するアンテナ部と、を有し、
前記第１ランド部および前記第２ランド部は、互いに対向して配置されるとともに、互いに平行な長手方向を有する形状であって前記長手方向の長さが前記ＲＦＩＣ素子よりも大きな形状を有し、
前記第１ランド部にて前記アンテナ部が延びる端部は、前記第２ランド部にて前記アンテナ部が延びる端部とは前記長手方向において反対側に位置している、パッケージ。
【請求項６】
前記ＲＦＩＣ素子と前記アンテナパターンにより構成される前記ＲＦＩＣデバイスが、折り曲げ部を含まない面に配設され、収容される物品と所定距離が確保される折り曲げ部の近傍に配設された、請求項５に記載のパッケージ。
【手続補正２】
【補正対象書類名】明細書
【補正対象項目名】０００８
【補正方法】変更
【補正の内容】
【０００８】
前記目的を達成するために、本発明の一態様に係るパッケージ用板紙の製造方法は、少なくとも２つの層を備えるパッケージ用板紙の製造方法であって、少なくとも２つの層の一方の層に複数のアンテナパターンを、所定間隔を有して印刷する工程と、少なくとも２つの層の他方の層に複数のＲＦＩＣ素子を、所定間隔を有して接着する工程と、一方の層と他方の層とを貼り合わせて、ＲＦＩＣ素子およびアンテナパターンを一方の層と他方の層との間に挟み込み、ＲＦＩＣ素子とアンテナパターンとを電気的に接続する工程と、を含み、アンテナパターンは、ＲＦＩＣ素子が電気的に接続される第１ランド部および第２ランド部と、第１ランド部と第２ランド部とのそれぞれから延びる部分であって電波を送受信するアンテナ部と、を有し、第１ランド部および第２ランド部は、互いに対向して配置されるとともに、互いに平行な長手方向を有する形状であって長手方向の長さがＲＦＩＣ素子よりも大きな形状を有し、第１ランド部にてアンテナ部が延びる端部は、第２ランド部にてアンテナ部が延びる端部とは長手方向において反対側に位置しているものである。
【手続補正３】
【補正対象書類名】明細書
【補正対象項目名】０００９
【補正方法】変更
【補正の内容】
【０００９】
また、本発明の一態様に係るパッケージ用板紙は、少なくとも２つの層を備えるパッケージ用板紙であって、少なくとも２つの層の一方の層が印刷されたアンテナパターンを含み、少なくとも２つの層の他方の層が接着されたＲＦＩＣ素子を含み、一方の層と他方の層とが貼り合わされた積層体において、一方の層と他方の層との間にＲＦＩＣ素子およびアンテナパターンが挟み込まれて、ＲＦＩＣ素子とアンテナパターンが電気的に接続したＲＦＩＣデバイスが構成され、アンテナパターンは、ＲＦＩＣ素子が電気的に接続される第１ランド部および第２ランド部と、第１ランド部と第２ランド部とのそれぞれから延びる部分であって電波を送受信するアンテナ部と、を有し、第１ランド部および第２ランド部は、互いに対向して配置されるとともに、互いに平行な長手方向を有する形状であって長手方向の長さがＲＦＩＣ素子よりも大きな形状を有し、第１ランド部にてアンテナ部が延びる端部は、第２ランド部にてアンテナ部が延びる端部とは長手方向において反対側に位置しているものである。
【手続補正４】
【補正対象書類名】明細書
【補正対象項目名】００１０
【補正方法】変更
【補正の内容】
【００１０】
また、本発明の一態様に係るパッケージは、複数の折り曲げ部を有して組み立てられて、物品を収容するパッケージであって、パッケージは、少なくとも２つの層を備えるパッケージ用板紙で構成され、少なくとも２つの層の一方の層が印刷されたアンテナパターンを含み、少なくとも２つの層の他方の層が接着されたＲＦＩＣ素子を含み、一方の層と他方の層とが貼り合わされた積層体を有し、積層体が、一方の層と他方の層との間にＲＦＩＣ素子およびアンテナパターンが挟み込まれて、ＲＦＩＣ素子とアンテナパターンが電気的に接続されたＲＦＩＣデバイスを備え、アンテナパターンは、ＲＦＩＣ素子が電気的に接続される第１ランド部および第２ランド部と、第１ランド部と第２ランド部とのそれぞれから延びる部分であって電波を送受信するアンテナ部と、を有し、第１ランド部および第２ランド部は、互いに対向して配置されるとともに、互いに平行な長手方向を有する形状であって長手方向の長さがＲＦＩＣ素子よりも大きな形状を有し、第１ランド部にてアンテナ部が延びる端部は、第２ランド部にてアンテナ部が延びる端部とは長手方向において反対側に位置しているものである。